【手続補正書】
【提出日】平成16年3月17日(2004.3.17)
【手続補正１】
【補正対象書類名】明細書
【補正対象項目名】発明の名称
【補正方法】変更
【補正の内容】
【発明の名称】Ａ／Ｄ変換器、Ａ／Ｄ変換器の駆動方法及びコンパレータ
【手続補正２】
【補正対象書類名】明細書
【補正対象項目名】特許請求の範囲
【補正方法】変更
【補正の内容】
【特許請求の範囲】
【請求項１】
互いに異なる電位からなる複数の比較電圧のそれぞれに対して設けられたコンパレータにて該比較電圧とアナログ電圧とを比較するＡ／Ｄ変換器であって、
前記各比較電圧毎に、その比較電圧とアナログ電圧とを比較するコンパレータを複数設けたＡ／Ｄ変換器。
【請求項２】
請求項１に記載のＡ／Ｄ変換器において、前記比較電圧に対して設けられた複数のコンパレータの出力と、該比較電圧に隣接する他の比較電圧に対して設けられた複数のコンパレータの出力とをそれぞれ比較する新たなコンパレータを設けたＡ／Ｄ変換器。
【請求項３】
請求項１又は２に記載のＡ／Ｄ変換器において、前記コンパレータはチョッパ型コンパレータであるＡ／Ｄ変換器。
【請求項４】
請求項１乃至３のいずれか１に記載のＡ／Ｄ変換器において、前記Ａ／Ｄ変換器は、フラッシュ型Ａ／Ｄ変換器又はハーフ・フラッシュ型Ａ／Ｄ変換器であるＡ／Ｄ変換器。
【請求項５】
同一の比較電圧に対して設けられた複数のコンパレータを備えたＡ／Ｄ変換器を駆動させるＡ／Ｄ変換器の駆動方法であって、
異なるタイミングでアナログ信号の電圧をサンプリングするように前記複数のコンパレータを動作させ、
異なるタイミングで前記アナログ信号の電圧と前記比較電圧との比較結果を出力するように前記複数のコンパレータを動作させること
を特徴とするＡ／Ｄ変換器の駆動方法。
【請求項６】
比較電圧とアナログ信号の電圧とを比較する第１のコンパレータと、
前記比較電圧と前記アナログ信号の電圧とを比較する第２のコンパレータと、
を備え、
前記第１のコンパレータのサンプリング動作と前記第２のコンパレータのサンプリング動作とが重ならなず、且つ、該第１のコンパレータの出力動作と該第２のコンパレータの出力動作とが重ならないタイミングで、該第１のコンパレータと該第２のコンパレータとを動作させること
を特徴とするコンパレータ。
【手続補正３】
【補正対象書類名】明細書
【補正対象項目名】０００１
【補正方法】変更
【補正の内容】
【０００１】
【発明の属する技術分野】
本発明は、Ａ／Ｄ変換器、Ａ／Ｄ変換器の駆動方法及びコンパレータに関するものである。


【手続補正４】
【補正対象書類名】明細書
【補正対象項目名】００１１
【補正方法】変更
【補正の内容】
【００１１】
本発明は上記問題点を解消するためになされたものであって、その目的はさらに高速化を図ることができるＡ／Ｄ変換器、Ａ／Ｄ変換器の駆動方法を提供することにある。又、本発明の第２の目的は、Ａ／Ｄ変換器の高速化に寄与することができるコンパレータを提供することにある。


【手続補正５】
【補正対象書類名】明細書
【補正対象項目名】００１２
【補正方法】変更
【補正の内容】
【００１２】
【課題を解決するための手段】
請求項１に記載の発明は、互いに異なる電位からなる複数の比較電圧のそれぞれに対して設けられたコンパレータにて該比較電圧とアナログ電圧とを比較するＡ／Ｄ変換器であって、前記各比較電圧毎に、その比較電圧とアナログ電圧とを比較するコンパレータを複数設けた。


【手続補正６】
【補正対象書類名】明細書
【補正対象項目名】００１３
【補正方法】変更
【補正の内容】
【００１３】
請求項２に記載の発明は、請求項１に記載のＡ／Ｄ変換器において、比較電圧に対して設けられた複数のコンパレータの出力と、該比較電圧に隣接する他の比較電圧に対して設けられた複数のコンパレータの出力とをそれぞれ比較する新たなコンパレータを設けた。


【手続補正７】
【補正対象書類名】明細書
【補正対象項目名】００１４
【補正方法】変更
【補正の内容】
【００１４】
請求項３に記載の発明は、請求項１又は２に記載のＡ／Ｄ変換器において、前記コンパレータはチョッパ型コンパレータである。
請求項４に記載の発明は、請求項１乃至３のいずれか１に記載のＡ／Ｄ変換器において、Ａ／Ｄ変換器は、フラッシュ型Ａ／Ｄ変換器又はハーフ・フラッシュ型Ａ／Ｄ変換器である。


【手続補正８】
【補正対象書類名】明細書
【補正対象項目名】００１５
【補正方法】変更
【補正の内容】
【００１５】
請求項５に記載の発明は、同一の比較電圧に対して設けられた複数のコンパレータを備えたＡ／Ｄ変換器を駆動させるＡ／Ｄ変換器の駆動方法であって、異なるタイミングでアナログ信号の電圧をサンプリングするように前記複数のコンパレータを動作させ、異なるタイミングで前記アナログ信号の電圧と前記比較電圧との比較結果を出力するように前記複数のコンパレータを動作させるようにした。


【手続補正９】
【補正対象書類名】明細書
【補正対象項目名】００１６
【補正方法】変更
【補正の内容】
【００１６】
請求項６に記載の発明は、比較電圧とアナログ信号の電圧とを比較する第１のコンパレータと、前記比較電圧と前記アナログ信号の電圧とを比較する第２のコンパレータと、を備え、前記第１のコンパレータのサンプリング動作と前記第２のコンパレータのサンプリング動作とが重ならなず、且つ、該第１のコンパレータの出力動作と該第２のコンパレータの出力動作とが重ならないタイミングで、該第１のコンパレータと該第２のコンパレータとを動作させるようにした。


【手続補正１０】
【補正対象書類名】明細書
【補正対象項目名】００１７
【補正方法】削除
【補正の内容】
【手続補正１１】
【補正対象書類名】明細書
【補正対象項目名】００１９
【補正方法】変更
【補正の内容】
【００１９】
請求項２の発明によれば、請求項１に記載のＡ／Ｄ変換器の作用に加えて、新たなコンパレータによる比較電圧に対して設けられた複数のコンパレータの出力と、該比較電圧に隣接する他の比較電圧に対して設けられた複数のコンパレータの出力との比較は、その比較電圧と隣接する比較電圧の中間電圧とアナログ入力電圧との比較を意味する。従って、デジタル変換速度を高速化することができるとともに、高分解能なデジタル変換が可能となる。


【手続補正１２】
【補正対象書類名】明細書
【補正対象項目名】００２０
【補正方法】変更
【補正の内容】
【００２０】
請求項３の発明によれば、チョッパ型コンパレータよりなるＡ／Ｄ変換器をより高速にデジタル変換することができる。
請求項４の発明によれば、フラッシュ型Ａ／Ｄ変換器又はハーフ・フラッシュ型Ａ／Ｄ変換器をより高速にデジタル変換させることができる。


【手続補正１３】
【補正対象書類名】明細書
【補正対象項目名】００２１
【補正方法】変更
【補正の内容】
【００２１】
請求項５の発明によれば、各コンパレータを、異なるタイミングでアナログ信号をサンプリングするように動作させ、異なるタイミングでアナログ信号の電圧と比較電圧の比較結果を出力するように動作させることにより、アナログ電圧を短い間隔で比較でき、その比較結果を得ることができる。その結果、デジタル変換速度を高速化することができる。


【手続補正１４】
【補正対象書類名】明細書
【補正対象項目名】００２２
【補正方法】変更
【補正の内容】
【００２２】
請求項６の発明によれば、第１のコンパレータのサンプリング動作と前記第２のコンパレータのサンプリング動作とが重ならなず、且つ、該第１のコンパレータの出力動作と該第２のコンパレータの出力動作とが重ならないタイミングで、該第１のコンパレータと該第２のコンパレータとを動作させることにより、アナログ電圧を短い間隔で比較でき、その比較結果を得ることができる。


【手続補正１５】
【補正対象書類名】明細書
【補正対象項目名】００２３
【補正方法】削除
【補正の内容】
【手続補正１６】
【補正対象書類名】明細書
【補正対象項目名】００９９
【補正方法】変更
【補正の内容】
【００９９】
請求項２及び３の発明によれば、Ａ／Ｄ変換器のデジタル変換速度を高速化することができるとともに、高分解能なデジタル変換を可能にすることができる。
請求項４の発明によれば、フラッシュ型Ａ／Ｄ変換器又はハーフ・フラッシュ型Ａ／Ｄ変換器をより高速にデジタル変換させることができる。


【手続補正１７】
【補正対象書類名】明細書
【補正対象項目名】０１００
【補正方法】変更
【補正の内容】
【０１００】
請求項５の発明によれば、アナログ信号と比較電圧とを短い間隔で比較でき、Ａ／Ｄ変換器のデジタル変換速度を高速化することができる。


【手続補正１８】
【補正対象書類名】明細書
【補正対象項目名】０１０１
【補正方法】変更
【補正の内容】
【０１０１】
請求項６の発明によれば、アナログ信号と比較電圧を短い間隔で比較でき、その比較結果を得ることができる。